(57)【特許請求の範囲】
【請求項１】
基軸を支点に一対の毛髪挟持体を開閉自在に連結し、
これら毛髪挟持体の間に毛髪成形体を設けて、前記毛髪挟持体及び又は前記毛髪成形体に、前記毛髪挟持体の内側と、前記毛髪成形体の上面または下面との間で毛髪を挟みながら毛髪を施術するためのヒータを設け、
さらに、前記毛髪成形体の下面が平面形状部を有するとともに、前記毛髪成形体の上面が、前記毛髪成形体の長手方向に垂直の断面で凹凸形状部を有し、さらに、前記一対の毛髪挟持体のいずれか一方の内側に、前記毛髪成形体の平面形状部に対向する平面形状部を、また毛髪挟持体のいずれか他方の内側に毛髪成形体の凹凸形状部に嵌合する凹凸形状部をそれぞれ有し、かつ、
前記毛髪成形体にその下面まで通じる第一の空洞部を設け、
前記毛髪挟持体に、前記毛髪成形体の下面と前記毛髪挟持体が接するとき前記第一の空洞部と連通するように、第二の空洞部を設けるととともに、
前記毛髪挟持体の一方の把手部内側に超音波ミスト発生器を設け、
前記超音波ミスト発生器のミスト発生口を、前記毛髪成形体の下面と前記毛髪挟持体が接するとき、前記第一の空洞部及び前記第二の空洞部に臨み、
前記毛髪成形体の上面と前記毛髪挟持体が接するとき、前記第二の空洞部に臨むよう配設したことを特徴とするヘアーアイロン。
【請求項２】
前記毛髪成形体の凹凸形状部が、曲面で形成されることを特徴とする請求項１に記載のヘアーアイロン。
【請求項３】
前記毛髪成形体の凹凸形状部、及び又は前記毛髪挟持体の凹凸形状部が着脱自在である請求項１または請求項２のいずれかに記載のヘアーアイロン。
【請求項４】
前記毛髪成形体と前記毛髪挟持体のいずれか一方との間が開いた状態にある場合に、
前記毛髪成形体と前記毛髪挟持体の他方との間の相対位置を拘束することを特徴とする請求項１から請求項３のいずれかに記載のヘアーアイロン。
【請求項５】
前記毛髪挟持体のいずれか一方又は両方の外周に、この毛髪挟持体の長手方向に一以上の毛髪横滑り防止突条部を有することを特徴とする請求項１から請求項４のいずれかに記載のヘアーアイロン。
【請求項６】
前記毛髪横滑り防止突条部が、着脱自在であることを特徴とする請求項５に記載のヘアーアイロン。
【発明の詳細な説明】
【技術分野】
【０００１】
本発明は、一対の毛髪挟持体の間に毛髪成形体を設けたヘアーアイロンに関するものである。
【背景技術】
【０００２】
ヘアーアイロンは、美容室等の専門店だけでなく、一般家庭にも広く普及している。一般家庭においてはヘアーアイロンの使用者自身が自ら所望のカールやウェーブを毛髪に付与したり、カール等がかかった毛髪をストレートに戻したりするが、これに対応する様々なヘアーアイロンが市販されている。
【０００３】
このようなヘアーアイロンとして例えば、基軸を支点に一対の毛髪挟持体を開閉自在に連結し、前記毛髪挟持体の間で毛髪を挟みながら、毛髪を施術するものが公知である（特許文献１）。また、毛髪挟持体の間に毛髪成形体を設けて、前記毛髪挟持体の内側と、前記毛髪成形体の上面または下面との間で毛髪を挟みながら、前記毛髪峡持体または毛髪成形体に設けたヒータにより毛髪を施術するものもある（特許文献２）
【先行技術文献】
【特許文献】
【０００４】
【特許文献１】特開２００１−２６９２１３
【特許文献２】特開２００２−５１８２５
【発明の概要】
【発明が解決しようとする課題】
【０００５】
特許文献１や特許文献２のヘアーアイロンでは、毛髪の施術方法をストレートからウェーブに変える場合には、ヘアーアイロンの施術部品を違う形状の施術部品に交換する必要がある。しかし施術部品の交換には、その施術部品内部の加熱部分が冷却するまで待機する必要がある。また、使用者が間違って高温状態の施術部品を取外すようなことがあればその内部のヒータが露出し、これに使用者が触れ火傷を負う危険性があった。このように一般家庭においてはヘアーアイロンの施術部品が交換しにくいという問題があった。
【課題を解決するための手段】
【０００６】
本発明は、上記課題を解決すべく次のような技術的手段を講じた。
すなわち、請求項１記載の発明は、基軸を支点に一対の毛髪挟持体を開閉自在に連結し、これら毛髪挟持体の間に毛髪成形体を設けて、前記毛髪挟持体及び又は前記毛髪成形体に、前記毛髪挟持体の内側と、前記毛髪成形体の上面または下面との間で毛髪を挟みながら毛髪を施術するためのヒータを設け、さらに、前記毛髪成形体の下面が平面形状部を有するとともに、前記毛髪成形体の上面が、前記毛髪成形体の長手方向に垂直の断面で凹凸形状部を有し、さらに、前記一対の毛髪挟持体のいずれか一方の内側に、前記毛髪成形体の平面形状部に対向する平面形状部を、また毛髪挟持体のいずれか他方の内側に毛髪成形体の凹凸形状部に嵌合する凹凸形状部をそれぞれ有し、かつ、前記毛髪成形体にその下面まで通じる第一の空洞部を設け、前記毛髪挟持体に、前記毛髪成形体の下面と前記毛髪挟持体が接するとき前記第一の空洞部と連通するように、第二の空洞部を設けるととともに、前記毛髪挟持体の一方の把手部内側に超音波ミスト発生器を設け、前記超音波ミスト発生器のミスト発生口を、前記毛髪成形体の下面と前記毛髪挟持体が接するとき、前記第一の空洞部及び前記第二の空洞部に臨み、前記毛髪成形体の上面と前記毛髪挟持体が接するとき、前記第二の空洞部に臨むよう配設したことを特徴とするヘアーアイロンに向けられたものである。
【０００７】
また、請求項２記載の発明は、前記毛髪成形体の凹凸形状部が、曲面で形成されることを特徴とする請求項１に記載のヘアーアイロンである。
【０００８】
また、請求項３記載の発明は、前記毛髪成形体の凹凸形状部、及び又は前記毛髪挟持体の凹凸形状部が着脱自在である請求項１または請求項２のいずれかに記載のヘアーアイロンである。
【０００９】
また、請求項４記載の発明は、前記毛髪成形体と前記毛髪挟持体のいずれか一方との間が開いた状態にある場合に、前記毛髪成形体と前記毛髪挟持体の他方との間の相対位置を拘束することを特徴とする請求項１から請求項３のいずれかに記載のヘアーアイロンである。
【００１１】
また、請求項５記載の発明は、前記毛髪挟持体のいずれか一方又は両方の外周に、この毛髪挟持体の長手方向に一以上の毛髪横滑り防止突条部を有することを特徴とする請求項１から請求項５のいずれかに記載のヘアーアイロンである。
【００１２】
また、請求項６記載の発明は、前記毛髪横滑り防止突条部が、着脱自在であることを特徴とする請求項６に記載のヘアーアイロンである。
【発明の効果】
【００１３】
請求項１に記載の発明によれば、毛髪挟持体の間に毛髪成形体を設けて、毛髪成形体の下面が平面形状部を有すると共に、前記毛髪成形体の上面が、この毛髪成形体の長手方向に垂直の断面で凹凸形状部を有し、かつ、前記一対の毛髪挟持体の内側に、前記毛髪成形体の平面形状部及び凹凸形状部に合致する平面形状部及び凹凸形状部をそれぞれ有することにより、毛髪成形体の下面に設けた平面形状部を使用して、毛髪にストレートやカールの施術を行うことが可能になると共に、毛髪成形体の上面に設けた凹凸形状部を使用して毛髪にウェーブの施術を行うことが可能となる。即ち毛髪の施術方法をストレート等からウェーブに変える場合であっても、ヘアーアイロンの施術部品を違う形状の施術部品に交換する必要がなくなり、安全で効率的に複数の施術を毛髪に対して行うことが可能となる。
加えて、前記毛髪成形体にその下面まで通じる第一の空洞部を設け、前記毛髪挟持体に、前記毛髪成形体の下面と前記毛髪挟持体が接するとき前記第一の空洞部と連通するように、第二の空洞部を設けると共に、前記毛髪挟持体の一方の把手部内側に超音波ミスト発生器を設け、前記超音波ミスト発生器のミスト発生口を、前記毛髪成形体の下面と前記毛髪挟持体が接するとき、前記第一の空洞部及び前記第二の空洞部に臨み、前記毛髪成形体の上面と前記毛髪挟持体が接するとき、前記第二の空洞部に臨むよう配設したことにより、毛髪成形体の下面に設けた平面形状部を使用して、毛髪にストレートやカールの施術を行う場合でも、毛髪成形体の上面に設けた凹凸形状部を使用して毛髪にウェーブの施術を行う場合でも、毛髪を施術する際に挟んだ毛髪全体に対して水分やトリートメント成分を塗布して、毛髪の傷みを防止することができる。
【００１４】
請求項２に記載の発明によれば、毛髪成形体の凹凸形状部が、曲面で形成されることにより毛髪にウェーブの施術を行った場合に、角部に毛髪が不自然に挟まれ、毛髪を傷めるということを防止できる。
【００１５】
請求項３に記載の発明によれば、毛髪成形体の凹凸形状部、及び又は前記毛髪挟持体の凹凸形状部が着脱自在であることにより、使用者がヘアースタイルを大きく変更した場合に、高頻度で使用する施術部品へ交換することが可能となり複数のヘアーアイロンを所有する必要がなくなる。
【００１６】
請求項４に記載の発明によれば、毛髪挟持体と毛髪成形体のいずれか一方の間とが開いた状態にある場合に、毛髪成形体と毛髪挟持体の他方との間の相対位置を拘束することにより、ヘアーアイロンを使用している場合に、間違って毛髪成形体の他方の面に毛髪が入り込むことを防止することができる。
【００１８】
請求項５に記載の発明によれば、毛髪挟持体のいずれか一方又は両方の外周に、この毛髪挟持体の長手方向に一以上の毛髪横滑り防止突条部を有することにより、毛髪にカール施術を行う場合に、毛髪がヘアーアイロンの一方向に寄せられることを防止することができると共に、温度が高い毛髪挟持体の外周に直接肌がふれるのを防止することができる。
【００１９】
請求項６に記載の発明によれば、前記毛髪横滑り防止突条部が着脱自在であることにより、毛髪にストレートやウェーブの施術を行う場合には毛髪横滑り防止突条部をとりはずすことができる。
【図面の簡単な説明】
【００２０】
【図１】本発明に係るヘアーアイロンの第一実施形態の正面図及び底面図である。
【図２】本発明に係るヘアーアイロンの第一実施形態において、両毛髪挟持体を開いた場合の正面図である。
【図３】本発明に係るヘアーアイロンの第一実施形態の側面図である。
【図４】本発明に係るヘアーアイロンの第一実施形態の使用図である。
【図５】本発明に係るヘアーアイロンの第一実施形態の断面図である。
【図６】本発明に係るヘアーアイロンの第二実施形態の正面図及び底面図である。
【発明を実施するための形態】
【００２１】
以下、本発明に係るヘアーアイロンの第一実施形態の構成について、図１乃至図５を用いて説明する。
【００２２】
図１（ａ）は本発明に係るヘアーアイロン１の第一実施形態の正面図であり、図１（ｂ）は底面図である。また図２にヘアーアイロン１の構成要素が互いに開いた状態を示した正面図、図３に本実施形態の側面図、図４に第一実施形態の二種類の使用図、図５に第一実施形態の断面図を示す。図１（ａ）においての上方をヘアーアイロン１の上方、下方をヘアーアイロン１の下方として説明する。
【００２３】
本発明に係るヘアーアイロン１は、閉じた状態で円柱形状をなし、主な材料は耐熱の硬質プラスチックである。ヘアーアイロン１は、毛髪挟持体２，３及び毛髪成形体４を主要な構成要素とし、基軸５を支点として一対の毛髪挟持体２，３を開閉自在に連結し、これら毛髪挟持体２，３の間に毛髪成形体４を設ける構造を採用している。そして毛髪成形体４の上面と毛髪挟持体２の内側との間、及び毛髪成形体４の下面と毛髪挟持体３の内側との間で毛髪を挟み、その挟んだ毛髪に対して、毛髪挟持体２，３及び毛髪成形体４に設けたヒータによって毛髪を施術する。
【００２４】
図４（ａ）で示すように毛髪成形体４の上面は、毛髪成形体４の長手方向に垂直の断面で凹凸形状部６ａを有しており、この凹凸形状部６ａにおいて毛髪の施術を行う。施術部品である凹凸形状部６ａの長さは、ヘアーアイロン１の長手方向の半分程度の長さであり、毛髪成形体４の幅方向の中央に、長手方向に沿った空洞部７ａを設ける。この空洞部７ａは毛髪成形体４の下面まで通じている。凹凸形状部６ａは、毛髪成形体４の長手方向の垂直断面における形状が、曲線をもって形成される。また、凹凸形状部６ａは使用者の嗜好によって凹凸のパターンを変更することができるように着脱自在になっており、その内部にヒータを有している。
【００２５】
毛髪挟持体１の内側は、毛髪成形体４の凹凸形状部６ａと嵌合する凹凸形状部６ｂを有する。施術部品である凹凸形状部６ｂの内部には図示しないヒータを設け、毛髪成形体４と同様に毛髪挟持体１の長手方向に沿った空洞部７ｂを設ける。この空洞部７ｂは毛髪挟持体１の内側からその外周に向けて貫通する。
【００２６】
毛髪への施術を適切に行うことができるように凹凸形状部６ａ、６ｂのいずれの内部にもヒータを設ける構成としたが、コスト等との関連からどちらか一方にヒータを設ける構成とすることもできる。また、毛髪挟持体１に設けた空洞部７ｂはその外周に向けて貫通する構成としたが、ミストをヘアーアイロン内部にとどめウェーブを適切に施すために貫通しない構成とすることも可能である。
【００２７】
図４（ｂ）で示すように毛髪成形体４の下面は、平面形状部８ａを有しており、この平面形状部８ａにおいて毛髪の施術を行う。施術部品である平面形状部８ａはヘアーアイロン１の長手方向の半分程度の長さである。空洞部７ａが毛髪成形体４の下面まで通じている構造を採用しているが、上面または下面のいずれかは閉じた構造としても差し支えない。この平面形状部８ａは、その部分全体が平面であるものと曲率が大きいため概略平面を構成するものとを含む。また施術部品である平面形状部８ａは、着脱自在になっており、その内部にヒータを有している。
【００２８】
毛髪挟持体２の内側は、毛髪成形体４の平面形状部８ａに対向する平面形状部８ｂを有する。施術部品である平面形状部８ｂの内部には図示しないヒータを設け、毛髪挟持体２の長手方向に沿った空洞部７ｃを設ける。この空洞部７ｃは毛髪挟持体２の内側からその外周に向けて貫通する。
【００２９】
毛髪への施術を適切に行うことができるように平面形状部８ａ、８ｂのいずれの内部にもヒータを設ける構成としたが、コスト等との関連からどちらか一方にヒータを設ける構成とすることもできる。また、毛髪挟持体２に設けた空洞部７ｃはその外周に向けて貫通する構成としたが、毛髪をストレートにする場合に、ミストをヘアーアイロン内部にとどめ適切に施術を行うために貫通しない構成とすることも可能である。
【００３０】
毛髪挟持体２の空洞部７ｃに向けて、超音波ミスト発生器９のミスト発生口を臨ませ、凹凸形状部６ａ、６ｂの間または平面形状部８ａ、８ｂの間に挟んだ毛髪全体に水分を行き渡らせるようにする。このミスト発生口には金属メッシュを被せ、超音波ミスト発生器９の超音波振動子としては圧電素子を用いる。超音波振動子の振動数は０．５〜５ＭＨｚであり、使用する液体によって最適な振動数を選択できる。使用する液体は低粘度の機能水や通常の水道水が主であり、カートリッジ式タンク１０を取外して液体を補充する。また、超音波振動子等は、基板１１によりなる制御部で制御される。使用する液体として粘度の高いトリートメント溶液などを用いることも可能である。
【００３１】
超音波ミスト発生器９に設けた金属メッシュは、使用する機能水の粘度や成分によってメッシュサイズを交換できるようにし、水分の毛髪への浸透を容易にすることができる。本実施例においてはステンレスに代表される金属メッシュを採用したが、機能水の成分等によっては樹脂製、プラスチック製などあらゆるメッシュを採用することもできる。金属メッシュの穴のサイズは２〜５０μｍ程度とし、穴径によって金属メッシュに対する加工方法を変更する。
【００３２】
毛髪成形体４の下面が平面形状部８ａを有すると共に、前記毛髪成形体４の上面が、この毛髪成形体４の長手方向に垂直の断面で凹凸形状部６ａを有し、かつ、前記一対の毛髪挟持体２，３の内側に、前記毛髪成形体４の平面形状部８ａ及び凹凸形状部６ａに合致する平面形状部８ｂ及び凹凸形状部６ｂをそれぞれ有することにより、毛髪成形体４の下面に設けた平面形状部８ａを使用して、毛髪にストレートやカールの施術を行うことが可能になると共に、毛髪成形体４の上面に設けた凹凸形状部６ａを使用して毛髪にウェーブの施術を行うことが可能となる。
即ち毛髪の施術方法をストレート等からウェーブに変える場合であっても、ヘアーアイロン１の施術部品を違う形状の施術部品に交換する必要がなくなり、安全で効率的に複数の施術を毛髪に対して行うことが可能となる。
【００３３】
また、毛髪成形体４の長手方向に垂直な断面での凹凸形状部６ａが、曲線で形成される即ち、毛髪成形体４の凹凸形状部が、曲面で形成されることにより毛髪にウェーブの施術を行った場合に、角部に毛髪が不自然に挟まれ、毛髪を傷めるということを防止できる。
【００３４】
加えて、毛髪成形体４の凹凸形状部６ａ、及び又は前記毛髪挟持体１の凹凸形状部６ｂが着脱自在であることにより、使用者がヘアースタイルを大きく変更した場合に、高頻度で使用する施術部品へ交換することが可能となり複数のヘアーアイロン１を所有する必要がなくなる。
【００３５】
更に、毛髪挟持体２，３に、その長手方向に沿って空洞部７ｂ、７ｃを設けると共に、前記毛髪挟持体２の把手部に設けた超音波ミスト発生器９のミスト発生口を前記空洞部７ｂ，７ｃに臨ませることにより、毛髪を施術する際に挟んだ毛髪全体に対して水分やトリートメント成分を塗布して、毛髪の傷みを防止することができる。
【００３６】
次にこの実施形態のヘアーアイロン１の使用方法について、説明する。
本実施形態にかかるヘアーアイロン１はもっぱら一般家庭における使用を前提としている。美容室などと異なり一般家庭においては、ヘアーアイロン１を使用する際にパーマ専用液を使用せず、以下のような方法でヘアーアイロン１を使用する。（１）毛髪をストレートにする場合は、ヘアーアイロン１の施術部分が平面になっているものを用い、暖めた施術部分で毛髪を挟み込んだままブラッシングのときよりもゆっくりとヘアーアイロン１を毛先まで動かす。（２）毛髪をカールさせる場合は、同じように平面になっているものや曲率の大きい施術部分を用い、暖めた施術部分で毛髪を挟み込んだままヘアーアイロン１の長手方向の軸を中心にヘアーアイロン１を１８０から３６０度回転させ、その姿勢を保ったままストレートにする場合よりもゆっくりとヘアーアイロン１を毛先まで動かす。（３）毛髪にウェーブをかける場合は、所望の形状を有する施術部分を暖め、その後毛髪を挟み込み数分そのままの状態を維持する。
【００３７】
本実施形態においても、それぞれ同じように毛髪に施術を行う。まず使用前の準備としてカートリッジ式タンク１０を取外してその中に機能水などを充填する。ミストボタン１２を押して超音波ミスト発生器９を起動し、ミストを発生させる。次にヒータ電源ボタン１３を押してヒータへ電源を供給し、施術部品が所定の温度になるようにする。温度の調整は、図示しないスライドスイッチにより行う。
【００３８】
ストレート及びカールの施術を行う場合は、毛髪挟持体３と毛髪成形体４の間を開いてその間に５ｃｍほどの幅の毛髪を挟みこみ、上記（１）または（２）の施術を行う。毛髪挟持体３と毛髪成形体４の間が開いた状態にある場合には、毛髪挟持体２と毛髪成形体４との間の相対位置を拘束する構成とする。ここで毛髪挟持体３と毛髪成形体４の間が「開いた状態」とは、毛髪を挟み込むことができる程度の距離としているが、この距離は使用者が調整できる構成とし、また、毛髪挟持体２と毛髪成形体４との間の「相対位置を拘束」するとは毛髪挟持体２と毛髪成形体４の間が開くことができない状態をいう。
【００３９】
ウェーブの施術を行う場合は、毛髪挟持体２と毛髪成形体４の間を開いてその間に５ｃｍほどの幅の毛髪を挟みこみ、上記（３）の施術を行う。毛髪挟持体２と毛髪成形体４の間が開いた状態にある場合には、毛髪挟持体３と毛髪成形体４との間の相対位置は拘束される。
【００４０】
このように毛髪成形体４と毛髪成形体２，３のいずれか一方の間とが開いた状態にある場合に、毛髪成形体４と毛髪挟持体２，３の他方との間の相対位置を拘束することにより、ヘアーアイロン１を使用している場合に、間違って毛髪成形体４の他方の面に毛髪が入り込むことを防止することができる。
【００４１】
以下、本発明の他の実施形態の構成について、図６を用いて説明する。
【００４２】
図６（ａ）は本発明に係るヘアーアイロン１の第二実施形態の正面図であり、図６（ｂ）は底面図である。本実施形態については、第一の実施形態と異なる部分についてのみ説明を行う。
【００４３】
第二実施形態のヘアーアイロン１においては、毛髪挟持体２，３の外周に、毛髪挟持体２，３の長手方向に一以上の毛髪横滑り防止突条部１４を設ける構成とする。複数の半円の毛髪横滑り突条部１４と、これら横滑り突条部１４と垂直な棒で、これら横滑り突条部１４と結合する複数の縦棒とにより、一体の要素として構成される。材料は耐熱の硬質プラスチック製であるので弾性的に変形することができ、毛髪挟持体２，３に着脱自在とする。毛髪横滑り防止突条部１４は、毛髪挟持体２，３の外周に固定する構造とすることも可能である。
【００４４】
毛髪挟持体２，３の外周に、この毛髪挟持体２，３の長手方向に一以上の毛髪横滑り防止突条部１４を有することにより、毛髪にカール施術を行う場合に、毛髪がヘアーアイロンの一方向に寄せられることを防止することができると共に、温度が高い毛髪挟持体の外周に直接肌がふれるのを防止することができる。また、毛髪横滑り防止突条部１４が着脱自在であることにより、毛髪にストレートやウェーブの施術を行う場合には毛髪横滑り防止突条部１４をとりはずすことができる。
【符号の説明】
【００４５】
１  ヘアーアイロン
２、３  毛髪挟持体
４  毛髪成形体
５  基軸
６ａ  凹凸形状部（毛髪成形体）
６ｂ  凹凸形状部（毛髪挟持体）
７ａ  空洞部（毛髪成形体）
７ｂ、７ｃ  空洞部（毛髪挟持体）
８ａ  平面形状部（毛髪成形体）
８ｂ  平面形状部（毛髪挟持部）
９  超音波ミスト発生器
１０  カートリッジ式タンク
１１  基板
１２  ミストボタン
１３  ヒータ電源
１４  毛髪横滑り突条部
【図１】
0006048919.tif 000002
【図２】
0006048919.tif 000003
【図３】
0006048919.tif 000004
【図４】
0006048919.tif 000005
【図５】
0006048919.tif 000006
【図６】
0006048919.tif 000007